(57)【特許請求の範囲】
【請求項１】
円筒状をなす排水桝の側壁下部に設けられた流出口を排水桝の内側から閉塞するための中蓋であって、流出口に挿入される栓体（１１）の外周には流出口の内周面と水密的に当接するシールパッキン（２）が装着されており、また栓体（１１）の一端側の平坦な底壁部（１２）には排水桝の内側に突出する把手（１３）が設けられると共に、底壁部（１２）の外周縁から突出して流出口周縁の排水桝内壁と当接する鉛直方向の第１ストッパー片（１４）と、水平方向の第２ストッパー片（１５）とが設けられていることを特徴とする排水桝用中蓋。
【請求項２】
栓体（１１）の外周には環状溝（１１１）が設けられており、該環状溝（１１１）に装着されるシールパッキン（２）の内周面には環状の小突起（２１）が複数条設けられていることを特徴とする請求項１記載の排水桝用中蓋。
【発明の詳細な説明】
【０００１】
【発明の属する技術分野】
本発明は、円筒状をなす排水桝の側壁下部に設けられた流出口を排水桝の内側から一時的に閉塞する際に好適に使用できる排水桝用中蓋に関する。
【０００２】
【従来の技術】
実公平３ー３２６１７号には、図５に示した如く排水桝３の側壁下部に設けられた流出口４を排水桝３の内側から一時的に閉塞する際に使用する中蓋６が提案されている。図６及び７に示した如く、この中蓋６は円筒状をなす排水桝３の側壁下部に設けられた流出口４を排水桝３の内側から閉塞するものであって、円筒状をなす栓体６１の外周に設けられた環状溝にシールパッキン７が装着され、また栓体６１の一端側の平坦な底壁部６２に排水桝の内側に突出する把手６３が設けられると共に、底壁部６２の外周縁の一部が突出してストッパー部６４が設けられた構成からなっている。
【０００３】
【発明が解決しようとする課題】
しかしながら、この従来の中蓋６はストッパー部６４が平坦な底壁部６２の一部から突出しているのに対し、中蓋６が装着される排水桝３の内周壁は円筒状に湾曲しているため、ストッパー部６４の設定位置によっては中蓋６の装着状態が不安定となることがある。即ち、図５に示した如く、ストッパー部６４が流出口４の上方位置にある場合には中蓋６が流出口の奥まで挿入されるため、安定した状態で固定される。これに対し、図８に示した如く、ストッパー部６４が流出口４の水平方向に位置する場合には、流出口周縁の桝本体内壁が円弧状に湾曲しているため中蓋６が流出口４の奥まで挿入されず、装着状態が不安定となる。
【０００４】
本発明はかかる課題を解決したものであって、円筒状をなす排水桝の側壁下部に設けられた流出口を排水桝の内側から安定した状態で閉塞できる排水桝用中蓋を提供するものである。
【０００５】
【課題を解決するための手段】
本発明の排水桝用中蓋は、円筒状をなす排水桝の側壁下部に設けられた流出口を排水桝の内側から閉塞するための中蓋であって、流出口に挿入される栓体の外周には流出口内周面と水密的に当接するシールパッキンが装着されており、また栓体の一端側の平坦な底壁部には排水桝の内側に突出する把手が設けられると共に、底壁部の外周縁から突出して流出口周縁部の排水桝内壁と当接する垂線方向の第１ストッパー片と、水平方向の第２ストッパー片とが設けられていることを特徴とする。
【０００６】
【発明の実施の形態】
以下、本発明の実施の形態を図面にて詳細に説明する。
図１は本発明の一実施例を示す排水桝用中蓋の正面図、図２は図１に示した中蓋を排水桝に装着した状態を示す底面図、図３は図１に示した排水桝用中蓋の側面図、図４はシールパッキンの要部断面図であって、図中の符号１は中蓋、２はシールパッキンである。
【０００７】
中蓋１はポリエチレン、塩ビ等の合成樹脂からなるものであって、円筒状をなす栓体１１の一端側は平坦な底壁部１２で閉塞されており、該底壁部１２から突出して把手１３が設けられている。また、底壁部１２にはその外周縁から突出する鉛直方向の第１ストッパー片１４と、水平方向の第２ストッパー片１５とが設けられている。本発明の中蓋１を排水桝の内側から流出口に嵌挿するとき、第１ストッパー片１４が鉛直方向に位置すると共に、双方の第２ストッパー片１５が水平方向に位置してそれぞれのストッパー片１４、１５が排水桝３の内壁と当接するように設定するものである。この様に設定すると、図２に一点鎖線で示した如く中蓋１が流出口４の奥まで挿入され、安定した状態で流出口４が閉塞されることになる。
【０００８】
また、前記栓体１１の外周には環状の鍔１１０が２条設けられており、双方の鍔１１０によって形成された環状溝１１１にシールパッキン２が装着されている。シールパッキン２の内周面、即ち環状溝１１１の底面と接する面には、環状の小突起２１が複数条設けられており、該突起２１が環状溝１１１の底面と圧接して水密性が確保されるようになっている。一方、シールパッキン２の外周面にはリップ状のシール部２２が設けられており、該シール部２２が流出口の内周面と弾性的に圧接して水密性が確保されるようになっている。
【０００９】
本発明の中蓋は以上の構成からなるものであって、宅地等に埋設した排水桝３が使用に供されるまでの間、排水桝３の下部側壁に設けた流出口４を中蓋で閉塞して排水桝３内に侵入した土砂等が雨水と共に下水本管（図示せず）に侵入するのを防止するものである。このとき、排水桝の内側から流出口４に中蓋を嵌挿し、第１ストッパー片１４が鉛直方向に位置すると共に、双方の第２ストッパー片１５が水平方向に位置してそれぞれのストッパー片１４、１５が排水桝３の内壁と当接するように設定する。
【００１０】
このとき、排水桝の上端開口部に紐（図示せず）の一端部を結び付けておくと共に、該紐の他端部を把手１３に結び付けておくとよい。そして、排水桝を使用する際に前記紐を上方から引っ張ると、鉛直方向に延びた第１ストッパー片１４の先端が支点となって中蓋１が流出口４から引き出されるため、流出口４を簡単に開口することができる。
【００１１】
【発明の効果】
以上詳述した如く、本発明の中蓋は、栓体の一端側の平坦な底壁部に排水桝の内側に突出する把手が設けられると共に、底壁部の外周縁から突出して流出口周縁の排水桝内壁と当接する鉛直方向の第１ストッパー片と、水平方向の第２ストッパー片とが設けられているので、円筒状をなす排水桝の側壁下部に設けられた流出口を排水桝の内側から安定した状態で閉塞することができる。
【図面の簡単な説明】
【図１】図１は本発明の一実施例を示す排水桝用中蓋の正面図である。
【図２】図２は図１に示した中蓋を排水桝に装着した状態を示す底面図である。
【図３】図３は図１に示した排水桝用中蓋の側面図である。
【図４】図４はシールパッキンの要部断面図である。
【図５】図５は排水桝の流出口を中蓋で閉塞した状態を示す部分切断断面図である。
【図６】図６は従来の中蓋を示す平面図である。
【図７】図７は従来の中蓋を示す断面図である。
【図８】図８は流出口を中蓋で閉塞した従来例の断面図である。
【符号の説明】
１    中蓋
１１    栓体
１４    鉛直方向の第１ストッパー片
１５    水平方向の第２ストッパー片
２    シールパッキン
３    排水桝
【図１】
0003720985.tif 000002
【図２】
0003720985.tif 000003
【図３】
0003720985.tif 000004
【図４】
0003720985.tif 000005
【図５】
0003720985.tif 000006
【図６】
0003720985.tif 000007
【図７】
0003720985.tif 000008
【図８】
0003720985.tif 000009